(57)【特許請求の範囲】
【請求項１】
熱交換器と、
前記熱交換器に対する上方に設けられた上方吹出口と、
前記熱交換器と前記上方吹出口間に設けられた上方ファンと、
前記熱交換器用の蒸気洗浄機と、
前記蒸気洗浄機による前記熱交換器の洗浄に係る蒸気滞留工程および水滴除去工程において、当該空気調和機の運転中における回転方向に対する逆方向に前記上方ファンを回転させる制御装置と、
を有する室内機を備える空気調和機。
【請求項２】
前記制御装置は、
前記上方ファンを逆方向に回転させる際に、第１回転数または前記第１回転数に比して高い回転数である第２回転数で回転させるよう制御し、
前記蒸気滞留工程において、前記第１回転数にて前記上方ファンを前記逆方向に回転させることを特徴とする請求項１記載の空気調和機。
【請求項３】
前記制御装置は、
前記上方ファンを逆方向に回転させる際に、第１回転数または前記第１回転数に比して高い回転数である第２回転数で回転させるよう制御し、
前記水滴除去工程において、前記第２回転数にて前記上方ファンを前記逆方向に回転させることを特徴とする請求項１記載の空気調和機。
【請求項４】
前記蒸気洗浄機は、前記室内機の下端部に設けられた液体用のタンクを含み、
前記タンクは、前記室内機の本体部に対して着脱自在に構成されている
ことを特徴とする請求項１記載の空気調和機。
【請求項５】
前記室内機は、前記熱交換器に対する下方に設けられた下方吹出口と、前記熱交換器と前記下方吹出口間に設けられた下方ファンと、を有し、
当該空気調和機が加湿暖房モードにて運転しているとき、前記制御装置が前記下方ファンを回転させるとともに、前記蒸気洗浄機が加湿用の蒸気を発生させる
ことを特徴とする請求項１記載の空気調和機。
【請求項６】
前記室内機の外形が縦長であり、かつ、前記室内機の下端部に前記蒸気洗浄機が設けられていることを特徴とする請求項１記載の空気調和機。
【請求項７】
熱交換器と、前記熱交換器に対する上方に設けられた上方吹出口と、前記熱交換器と前記上方吹出口間に設けられた上方ファンと、前記熱交換器用の蒸気洗浄機と、を有する室内機を備える空気調和機用の制御方法であって、
前記蒸気洗浄機による前記熱交換器の洗浄に係る蒸気滞留工程および水滴除去工程において、前記空気調和機の運転中における回転方向に対する逆方向に前記上方ファンを回転させる
ことを特徴とする制御方法。
【請求項８】
熱交換器と、前記熱交換器に対する上方に設けられた上方吹出口と、前記熱交換器と前記上方吹出口間に設けられた上方ファンと、前記熱交換器用の蒸気洗浄機と、を有する室内機を備える空気調和機用の制御装置であって、
前記蒸気洗浄機による前記熱交換器の洗浄に係る蒸気滞留工程および水滴除去工程において、前記空気調和機の運転中における回転方向に対する逆方向に前記上方ファンを回転させる
ことを特徴とする制御装置。
【発明の詳細な説明】
【技術分野】
【０００１】
本発明は、空気調和機、制御方法及び制御装置に関する。
【背景技術】
【０００２】
従来、空気調和機において、熱交換器用の蒸気洗浄機を有する室内機が開発されている（例えば、特許文献１参照。）。これにより、熱交換器を洗浄するとき、室内機から熱交換器を取り外す作業などが不要となる。この結果、熱交換器の洗浄が容易となる。
【先行技術文献】
【特許文献】
【０００３】
【特許文献１】特開２００９−２７０７２６号公報
【発明の概要】
【発明が解決しようとする課題】
【０００４】
従来、空気調和機において、冷房用の上方吹出口及び暖房用の下方吹出口を有する室内機が開発されている。冷房時は、熱交換器と上方吹出口間に設けられた上方ファンが回転することにより、上方吹出口から冷房用の空気が吹き出される。これにより、いわゆる「冷気だまり」の発生が抑制される。また、暖房時は、熱交換器と下方吹出口間に設けられた下方ファンが回転することにより、下方吹出口から暖房用の空気が吹き出される。これにより、いわゆる「暖気だまり」の発生が抑制される。【０００５】
ここで、熱交換器用の蒸気洗浄機を有する室内機に上方吹出口が設けられている場合、蒸気洗浄機が熱交換器を洗浄するとき、洗浄用の蒸気が上方吹出口から室内機の外部に漏れ出す問題があった。当該漏れ出した蒸気により、ユーザの意に反して室内の湿度が上昇したり、又は上方吹出口の周囲における壁面に水分が付着したりする問題があった。また、当該付着した水分により、当該壁面にカビが発生する問題があった。【０００６】
本発明は、上記のような課題を解決するためになされたものであり、洗浄用の蒸気が上方吹出口から室内機の外部に漏れ出すのを抑制することを目的とする。
【課題を解決するための手段】
【０００７】
本発明の空気調和機は、熱交換器と、熱交換器に対する上方に設けられた上方吹出口と、熱交換器と上方吹出口間に設けられた上方ファンと、熱交換器用の蒸気洗浄機と、蒸気洗浄機による熱交換器の洗浄に係る蒸気滞留工程および水滴除去工程において、当該空気調和機の運転中における回転方向に対する逆方向に上方ファンを回転させる制御装置と、を有する室内機を備えるものである。
【発明の効果】
【０００８】
本発明によれば、上記のように構成したので、洗浄用の蒸気が上方吹出口から室内機の外部に漏れ出すのを抑制することができる。
【図面の簡単な説明】
【０００９】
【図１】実施の形態１に係る空気調和機の室内機が建物の室内に設置されている状態を示す説明図である。
【図２】実施の形態１に係る空気調和機の室内機の要部を示す断面図である。
【図３】図３Ａは、実施の形態１に係る空気調和機用の制御装置のハードウェア構成を示すブロック図である。図３Ｂは、実施の形態１に係る空気調和機用の制御装置の他のハードウェア構成を示すブロック図である。
【図４】実施の形態１に係る空気調和機の室内機において、蒸気洗浄機が熱交換器を洗浄するときの蒸気発生開始工程における蒸気の流れを示す説明図である。
【図５】実施の形態１に係る空気調和機の室内機において、蒸気洗浄機が熱交換器を洗浄するときの蒸気滞留工程における蒸気の流れを示す説明図である。
【図６】実施の形態１に係る空気調和機の室内機において、蒸気洗浄機が熱交換器を洗浄するときの水滴除去工程における水滴の動き及び水の流れを示す説明図である。
【発明を実施するための形態】
【００１０】
以下、この発明をより詳細に説明するために、この発明を実施するための形態について、添付の図面に従って説明する。
【００１１】
実施の形態１．
図１は、実施の形態１に係る空気調和機の室内機が建物の室内に設置されている状態を示す説明図である。図２は、実施の形態１に係る空気調和機の室内機の要部を示す断面図である。図１及び図２を参照して、実施の形態１に係る空気調和機１００について、室内機２００を中心に説明する。
【００１２】
空気調和機１００は、建物の室外に設置自在な室外機を有している。また、空気調和機１００は、当該建物の室内に設置自在な室内機２００を有している。室内機２００は、当該建物の壁Ｗに取り付けられるものである。図１及び図２に示す例においては、室内機２００の筐体１の背面部に沿うように背面板２が設けられており、この背面板２が壁Ｗに当接している。室内機２００の設置高さは、例えば、床と天井との中間程度の高さである。
【００１３】
室内機２００は縦長な外形を有している。図１及び図２に示す例においては、筐体１が略四角柱状の外形を有している。筐体１の上端部に上方吹出口３１が設けられており、かつ、筐体１の下端部に下方吹出口３２が設けられている。上方吹出口３１及び下方吹出口３２の各々は、室内機２００における正面方向、左方向又は右方向のうちの少なくとも１方向に対して開口している。図１及び図２に示す例においては、上方吹出口３１及び下方吹出口３２の各々が室内機２００における正面方向に対して開口している。以下、上方吹出口３１及び下方吹出口３２を総称して「吹出口」ということがある。
【００１４】
筐体１における上方吹出口３１と下方吹出口３２間に吸込口４が設けられている。吸込口４は、室内機２００における正面方向、左方向又は右方向のうちの少なくとも１方向に対して開口している。図１及び図２に示す例においては、吸込口４が室内機２００における正面方向に対して開口している。吸込口４の開口面に沿うようにして、塵埃用のフィルタ５が設けられている。
【００１５】
筐体１内に熱交換器（以下「室内熱交換器」ということがある。）６が収容されている。室内熱交換器６は、いわゆる「フィンアンドチューブ型」の熱交換器により構成されている。すなわち、室内熱交換器６は、所定間隔に積層された複数枚の略板状のフィン７を有している。また、室内熱交換器６は、これらのフィン７に対して熱的に接続された少なくとも１本の冷媒管８を有している。
【００１６】
室外機は、室内熱交換器６と同様の熱交換器（以下「室外熱交換器」という。）を有している。室内熱交換器６の冷媒管８は、冷媒管９により、室外熱交換器の冷媒管と連通している。冷媒管９は、筐体１の背面部、背面板２及び壁Ｗを貫通している。これらの冷媒管は、その管内を冷媒が流れるようになっている。また、室外機は、冷媒用の圧縮機、冷媒用の膨張弁及び室外熱交換器用のファン（以下「室外ファン」という。）などを有している。
【００１７】
室内熱交換器６は、個々のフィン７が室内機２００の長手方向（すなわち上下方向）に沿うように設けられている。より具体的には、室内熱交換器６は、個々のフィン７の板面が背面板２の板面に対して平行となるように（すなわち壁Ｗの壁面に対して平行となるように）設けられている。また、筐体１の内部において、室内熱交換器６に対する下方に排水パン１０が設けられている。排水パン１０の凹部は、排水管１１により、室外の空間と連通している。排水管１１は、筐体１の背面部、背面板２及び壁Ｗを貫通している。
【００１８】
これにより、室内熱交換器６に水滴が付着したとき、これらの水滴が個々のフィン７の板面に沿うように下方に移動する。室内熱交換器６の下端部に到達した水滴は、排水パン１０に落下する。排水パン１０の凹部に溜まった水は、排水管１１により室外の空間に排出される。
【００１９】
ここで、上方吹出口３１は、少なくとも、室内熱交換器６の中央部よりも上方に配置されている。図１及び図２に示す例においては、室内熱交換器６の上端部よりも上方に上方吹出口３１が配置されている。これにより、筐体１の内部において、室内熱交換器６と上方吹出口３１間の空気流路１２１が形成されている。この空気流路１２１内に上方ファン１３１が設けられている。
【００２０】
同様に、下方吹出口３２は、少なくとも、室内熱交換器６の中央部よりも下方に配置されている。図１及び図２に示す例においては、室内熱交換器６の下端部よりも下方に下方吹出口３２が配置されている。これにより、筐体１の内部において、室内熱交換器６と下方吹出口３２間の空気流路１２２が形成されている。この空気流路１２２内に下方ファン１３２が設けられている。
【００２１】
図１及び図２に示す例においては、上方ファン１３１及び下方ファン１３２の各々がプロペラファンにより構成されている。上方ファン１３１は、例えば、上方ファン１３１と一体に設けられたモータ（以下「上方ファンモータ」という。）により回転するものである。下方ファン１３２は、例えば、下方ファン１３２と一体に設けられた他のモータ（以下「下方ファンモータ」という。）により回転するものである。以下、上方ファン１３１及び下方ファン１３２を総称して「室内ファン」ということがある。
【００２２】
また、筐体１の外部において、筐体１の下端部に（すなわち室内機２００の下端部に）液体用のタンク１４が設けられている。タンク１４は、筐体１に対して（すなわち室内機２００の本体部に対して）着脱自在に構成されている。
【００２３】
図１及び図２に示す例においては、タンク１４が有底箱状であり、タンク１４の内底面部の中央部にヒータ１５が設けられている。ヒータ１５は、タンク１４内の液体（例えば水）を加熱するものである。ヒータ１５がタンク１４内の液体を加熱することにより、蒸気が発生する。ノズル１６は、当該発生した蒸気を筐体１内の空間に放出するものである。当該放出された蒸気により、室内熱交換器６が洗浄される。タンク１４、ヒータ１５及びノズル１６により、蒸気洗浄機１７の要部が構成されている。
【００２４】
室内機２００に制御装置（以下「室内制御装置」ということがある。）１８が設けられており、かつ、室外機に他の制御装置（以下「室外制御装置」という。）が設けられている。室内制御装置１８は、室内ファン１３及びヒータ１５などの動作を制御するものである。室外制御装置は、圧縮機、膨張弁及び室外ファンなどの動作を制御するものである。すなわち、空気調和機１００の動作は、室内制御装置１８と室外制御装置とが連携することにより制御されるものである。
【００２５】
室内制御装置１８による室内ファン１３の制御は、例えば、以下のようなものである。すなわち、空気調和機１００が冷房モードにて運転しているとき、室内制御装置１８は、上方ファンモータに対する通電により上方ファン１３１を回転させる。これにより、室内熱交換器６により冷却された空気が上方吹出口３１から吹き出される。この結果、室内を冷房することができるのはもちろんのこと、冷気だまりの発生を抑制することができる。
【００２６】
また、空気調和機１００が暖房モードにて運転しているとき、室内制御装置１８は、下方ファンモータに対する通電により下方ファン１３２を回転させる。これにより、室内熱交換器６により暖められた空気が下方吹出口３２から吹き出される。この結果、室内を暖房することができるのはもちろんのこと、暖気だまりの発生を抑制することができる。
【００２７】
ここで、室内制御装置１８は、上方ファンモータに対する通電方向を切替え自在なものである。これにより、室内制御装置１８は、上方ファン１３１の回転方向を切替え自在なものである。室内制御装置１８は、蒸気洗浄機１７による室内熱交換器６の洗浄中に、空気調和機１００の運転中（例えば冷房モードによる運転中）の回転方向に対する逆方向に上方ファン１３１を回転させるようになっている。以下、当該逆方向に上方ファン１３１が回転することを「逆回転」ということがある。
【００２８】
より具体的には、室内制御装置１８は、上方ファン１３１を逆回転させるとき、上方ファンモータに対する通電量を少なくとも２段階に切替え自在なものである。これにより、室内制御装置１８は、上方ファン１３１の回転数を少なくとも２段階に切替え自在なものである。以下、当該２段階の回転数のうちのより低い回転数を「第１回転数」という。また、当該２段階の回転数のうちのより高い回転数を「第２回転数」という。
【００２９】
蒸気洗浄機１７による室内熱交換器６の洗浄は、筐体１内の空間に蒸気を滞留させる工程（以下「蒸気滞留工程」という。）を含むものである。室内制御装置１８は、蒸気滞留工程において、上方ファン１３１を第１回転数にて逆回転させるようになっている。すなわち、第１回転数は、筐体１内の空間に蒸気を滞留させることができる程度に低い値に設定されている。
【００３０】
蒸気洗浄機１７による室内熱交換器６の洗浄は、室内熱交換器６に付着した水滴を除去することにより室内熱交換器６を乾燥させる工程（以下「水滴除去工程」又は「乾燥工程」という。）を含むものである。室内制御装置１８は、水滴除去工程において、上方ファン１３１を第２回転数にて逆回転させるようになっている。すなわち、第２回転数は、室内熱交換器６の乾燥を促進することができる程度に高い値に設定されている。
【００３１】
上方ファン１３１の逆回転により（特に蒸気滞留工程における逆回転により）、洗浄用の蒸気が上方吹出口３１から室内機２００の外部に漏れ出すのを抑制することができる。この結果、ユーザの意に反して室内の湿度が上昇するのを抑制することができる。また、上方吹出口３１の周囲における壁Ｗの壁面に水分が付着するのを抑制することができる。
【００３２】
このようにして、空気調和機１００の要部が構成されている。
【００３３】
次に、図３を参照して、室内制御装置１８の要部のハードウェア構成について説明する。
【００３４】
図３Ａに示す如く、制御基板２１にプロセッサ２２及びメモリ２３が実装されている。メモリ２３には、室内制御装置１８の機能を実現するためのプログラムが記憶されている。メモリ２３に記憶されたプログラムをプロセッサ２２が読み出して実行することにより、室内制御装置１８の機能が実現される。
【００３５】
または、図３Ｂに示す如く、制御基板２１に処理回路２４が実装されている。この場合、室内制御装置１８の機能が専用の処理回路２４により実現される。
【００３６】
または、制御基板２１にプロセッサ２２、メモリ２３及び処理回路２４が実装されている（不図示）。この場合、室内制御装置１８の機能のうちの一部の機能がプロセッサ２２及びメモリ２３により実現されて、残余の機能が専用の処理回路２４により実現される。
【００３７】
プロセッサ２２は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）のうちの少なくとも一つを用いたものである。
【００３８】
メモリ２３は、例えば、半導体メモリ又は磁気ディスクのうちの少なくとも一方を用いたものである。より具体的には、メモリ２３は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）のうちの少なくとも一つを用いたものである。
【００３９】
処理回路２４は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）のうちの少なくとも一つを用いたものである。
【００４０】
なお、室外制御装置の要部のハードウェア構成は室内制御装置１８の要部のハードウェア構成と同様である。このため、室外制御装置の要部のハードウェア構成については図示及び説明を省略する。
【００４１】
次に、図４〜図６を参照して、空気調和機１００の動作について、室内機２００の動作を中心に説明する。より具体的には、蒸気洗浄機１７が室内熱交換器６を洗浄するときの動作を中心に説明する。なお、図４〜図６において、室内機２００の各部の符号は図示を省略している。
【００４２】
まず、ユーザは、室内熱交換器６の洗浄の開始を指示する操作を操作入力装置（例えばリモートコントローラ）に入力する。操作入力装置は、室内熱交換器６の洗浄の開始を指示する信号を室内制御装置１８に送信する。室内制御装置１８は、当該送信された信号を受信する。
【００４３】
次いで、室内制御装置１８は、ヒータ１５にタンク１４内の液体の加熱を開始させる。これにより、蒸気の発生が開始される。当該発生した蒸気は、図４に示す如く、ノズル１６内を上昇する。図中、１本の矢印Ａ１は、ノズル１６内の蒸気の流れを示している。以下、ヒータ１５がタンク１４内の液体の加熱を開始する工程、すなわち蒸気の発生が開始される工程を「蒸気発生開始工程」という。
【００４４】
蒸気発生開始工程に次いで、ヒータ１５がタンク１４内の液体を加熱し続けることにより、蒸気が発生し続ける。この結果、図５に示す如く、ノズル１６の先端部から筐体１内の空間に蒸気が放出される。図中、複数本の矢印Ａ２は、ノズル１６により放出された蒸気の流れを示している。ノズル１６により放出された蒸気は、複数枚のフィン７のうちの互いに隣接する各２枚のフィン７間の間隙などを通り、筐体１内の空間を上昇する。図中、複数本の矢印Ａ３は、当該上昇する蒸気の流れを示している。
【００４５】
室内制御装置１８は、ヒータ１５がタンク１４内の液体の加熱を開始してから所定時間（以下「第１基準時間」という。）が経過したとき、第１回転数による上方ファン１３１の逆回転を開始させる。これにより、蒸気滞留工程が開始される。蒸気滞留工程において、ヒータ１５はタンク１４内の液体の加熱を継続する。
【００４６】
筐体１内の空間における上端部に到達した蒸気は、上方ファン１３１が逆回転していることにより、下方に吹き返される。図中、複数本の矢印Ａ４は、当該吹き返された蒸気の流れを示している。これにより、上方吹出口３１から室内機２００の外部に蒸気が漏れ出すのを抑制することができ、かつ、筐体１内の空間に蒸気を滞留させることができる。
【００４７】
蒸気滞留工程が開始されてから所定時間（以下「第２基準時間」という。）が経過したとき、室内制御装置１８は、ヒータ１５によるタンク１４内の液体の加熱を終了させる。また、室内制御装置１８は、第２回転数による上方ファン１３１の逆回転を開始させる。これにより、水滴除去工程、すなわち乾燥工程が開始される。
【００４８】
室内熱交換器６に付着している水滴は、重力により、個々のフィン７の板面に沿うように下方に移動する。室内熱交換器６の下端部に到達した水滴は、排水パン１０に落下する。このとき、逆回転している上方ファン１３１の風力により、当該水滴の移動及び落下が促進される。図中、複数本の矢印Ａ５及び複数本の矢印Ａ６は、当該水滴の動きを示している。
【００４９】
排水パン１０の凹部に溜まった水は、排水管１１により室外の空間に排出される。図中、１本の矢印Ａ７は、排水管１１により排出される水の流れを示している。上方ファン１３１の逆回転により、室内熱交換器６の乾燥にかかる時間を短縮することができる。
【００５０】
なお、蒸気滞留工程の開始条件は、第１基準時間の経過に限定されるものではない。
【００５１】
例えば、室内制御装置１８は、筐体１の内壁面部の上端部又は室内熱交換器６の上端部に設けられたセンサによる出力値を用いて、筐体１内の空間における上端部に蒸気が到達したことを検出するものであっても良い。このセンサは、例えば、温度センサ、湿度センサ又は水滴センサのうちの少なくとも一つを用いたものである。室内制御装置１８は、このセンサを用いた検出に応じて、第１回転数による上方ファン１３１の逆回転を開始させるものであっても良い。
【００５２】
また、蒸気滞留工程の終了条件、すなわち水滴除去工程の開始条件は、第２基準時間の経過に限定されるものではない。
【００５３】
例えば、室内制御装置１８は、室内熱交換器６の下端部に設けられたセンサを用いて、室内熱交換器６の下端部に水滴が到達したことを検出するものであっても良い。このセンサは、例えば、水滴センサを用いたものである。または、室内制御装置１８は、排水パン１０に設けられたセンサを用いて、排水パン１０に水滴が落下し始めたこと、又は排水パン１０の凹部に水が溜まり始めたことを検出するものであっても良い。このセンサは、例えば、重量センサを用いたものである。または、室内制御装置１８は、タンク１４に設けられたセンサを用いて、タンク１４内の液体が所定量以下に減少したことを検出するものであっても良い。このセンサは、例えば、重量センサ又は水位センサを用いたものである。室内制御装置１８は、これらのセンサを用いた検出に応じて、第２回転数による上方ファン１３１の逆回転を開始させるものであっても良い。
【００５４】
また、空気調和機１００の運転モードは上記の具体例（すなわち冷房モード及び暖房モード）に限定されるものではない。空気調和機１００は、従来の空気調和機と同様の種々の運転モードを有するものであっても良い。
【００５５】
例えば、空気調和機１００は加湿暖房モードを有するものであっても良い。室内制御装置１８は、空気調和機１００が加湿暖房モードにて運転しているとき、下方ファン１３２を回転させるとともに、ヒータ１５にタンク１４内の液体を加熱させるものであっても良い。すなわち、蒸気洗浄機１７が加湿用の蒸気を発生させるものであっても良い。これにより、室内熱交換器６により暖められた空気が下方吹出口３２から吹き出されるとともに、加湿用の蒸気が下方吹出口３２から吹き出される。この結果、室内を暖房することができるのはもちろんのこと、暖気だまりの発生を抑制することができ、かつ、室内を加湿することができる。また、室内機２００における加湿専用の蒸気発生器を不要とすることができるため、室内機２００の構造を簡単にすることができる。この結果、室内機２００の製造コストを低減することができる。
【００５６】
また、タンク１４内の液体は水に限定されるものではない。例えば、蒸気洗浄機１７が室内熱交換器６を洗浄するとき、タンク１４内の液体は専用の洗浄液であっても良い。すなわち、蒸気洗浄機１７は水蒸気を発生させるものであっても良く、又は水蒸気と異なる蒸気を発生させるものであっても良い。
【００５７】
また、室内機２００の外形は縦長であれば良く、略四角柱状に限定されるものではない。例えば、室内機２００の外形は略円柱状であっても良い。
【００５８】
また、タンク１４は有底状であれば良く、有底箱状に限定されるものではない。例えば、タンク１４は有底筒状であっても良い。
【００５９】
また、上方ファン１３１は軸流ファンであれば良く、プロペラファンに限定されるものではない。すなわち、上方ファン１３１は、回転方向に応じて発生する風の向きが異なるファンを用いたものであれば良い。
【００６０】
また、下方ファン１３２はプロペラファンに限定されるものではなく、軸流ファンに限定されるものでもない。下方ファン１３２は、例えば、輻流ファン、斜流ファン又は横断流ファンを用いたものであっても良い。ただし、上方吹出口３１により吹き出される風量（すなわち冷房時の風量）と下方吹出口３２により吹き出される風量（すなわち暖房時の風量）とのバランスを図る観点から、下方ファン１３２は上方ファン１３１と同様のファンを用いるのが好適である。
【００６１】
以上のように、実施の形態１に係る空気調和機１００は、熱交換器６と、熱交換器６に対する上方に設けられた上方吹出口３１と、熱交換器６と上方吹出口３１間に設けられた上方ファン１３１と、熱交換器６用の蒸気洗浄機１７と、蒸気洗浄機１７による熱交換器６の洗浄中に、空気調和機１００の運転中における回転方向に対する逆方向に上方ファン１３１を回転させる制御装置１８と、を有する室内機２００を備える。これにより、洗浄用の蒸気が上方吹出口３１から室内機２００の外部に漏れ出すのを抑制することができる。また、上方ファン１３１の逆回転により当該蒸気が漏れ出すのを抑制するものであるため、当該蒸気が漏れ出すのを抑制するための専用の機構などが不要である。これにより、室内機２００の部品点数の増加を回避することができ、かつ、室内機２００の構造の複雑化を回避することができる。この結果、室内機２００の製造コストの増加を回避することができる。
【００６２】
また、制御装置１８は、蒸気洗浄機１７による熱交換器６の洗浄に係る蒸気滞留工程において、第２回転数に比して低い第１回転数にて上方ファン１３１を逆方向に回転させる。これにより、上方吹出口３１から室内機２００の外部に蒸気が漏れ出すのを抑制することができ、かつ、筐体１内の空間に蒸気を滞留させることができる。
【００６３】
また、制御装置１８は、蒸気洗浄機１７による熱交換器６の洗浄に係る水滴除去工程において、第１回転数に比して高い第２回転数にて上方ファン１３１を逆方向に回転させる。これにより、室内熱交換器６の乾燥にかかる時間を短縮することができる。
【００６４】
また、蒸気洗浄機１７は、室内機２００の下端部に設けられた液体用のタンク１４を含み、タンク１４は、室内機２００の本体部に対して着脱自在に構成されている。これにより、例えば、図１に示す如く床と天井との中間程度の高さに室内機２００が設置されているとき、ユーザが容易にタンク１４を着脱することができる。この結果、ユーザが容易にタンク１４内の液体を補充することができる。
【００６５】
また、室内機２００は、熱交換器６に対する下方に設けられた下方吹出口３２と、熱交換器６と下方吹出口３２間に設けられた下方ファン１３２と、を有し、空気調和機１００が加湿暖房モードにて運転しているとき、制御装置１８が下方ファン１３２を回転させるとともに、蒸気洗浄機１７が加湿用の蒸気を発生させる。これにより、室内を暖房することができるのはもちろんのこと、暖気だまりの発生を抑制することができ、かつ、室内を加湿することができる。また、室内機２００における加湿専用の蒸気発生器を不要とすることができるため、室内機２００の構造を簡単にすることができる。この結果、室内機２００の製造コストを低減することができる。
【００６６】
また、室内機２００の外形が縦長であり、かつ、室内機２００の下端部に蒸気洗浄機１７が設けられている。これにより、洗浄用の蒸気を筐体１内の空間に容易に行き渡らせることができる。すなわち、仮に室内機２００の外形が横長である場合、洗浄用の蒸気を筐体１内の空間に行き渡らせるために、ノズル１６を左右方向にスライド移動させる機構を設けることが求められる。または、複数本のノズル１６を左右方向に配列することが求められる。これに対して、室内機２００の外形が縦長であることにより、当該機構を不要としつつ、かつ、ノズル１６の本数を低減しつつ、洗浄用の蒸気を筐体１内の空間に行き渡らせることができる。
【００６７】
また、実施の形態１に係る制御方法は、熱交換器６と、熱交換器６に対する上方に設けられた上方吹出口３１と、熱交換器６と上方吹出口３１間に設けられた上方ファン１３１と、熱交換器６用の蒸気洗浄機１７と、を有する室内機２００を備える空気調和機１００用の制御方法であって、蒸気洗浄機１７による熱交換器６の洗浄中に、空気調和機１００の運転中における回転方向に対する逆方向に上方ファン１３１を回転させるものである。これにより、上記のとおり、洗浄用の蒸気が上方吹出口３１から室内機２００の外部に漏れ出すのを抑制することができる。
【００６８】
また、実施の形態１に係る制御装置１８は、熱交換器６と、熱交換器６に対する上方に設けられた上方吹出口３１と、熱交換器６と上方吹出口３１間に設けられた上方ファン１３１と、熱交換器６用の蒸気洗浄機１７と、を有する室内機２００を備える空気調和機１００用の制御装置１８であって、蒸気洗浄機１７による熱交換器６の洗浄中に、空気調和機１００の運転中における回転方向に対する逆方向に上方ファン１３１を回転させるものである。これにより、上記のとおり、洗浄用の蒸気が上方吹出口３１から室内機２００の外部に漏れ出すのを抑制することができる。
【００６９】
なお、本願発明はその発明の範囲内において、実施の形態の任意の構成要素の変形、もしくは実施の形態の任意の構成要素の省略が可能である。
【産業上の利用可能性】
【００７０】
本発明の空気調和機は、例えば、家庭用の空気調和機に用いることができる。
【符号の説明】
【００７１】
１  筐体、２  背面板、３１  上方吹出口、３２  下方吹出口、４  吸込口、５  フィルタ、６  熱交換器（室内熱交換器）、７  フィン、８  冷媒管、９  冷媒管、１０  排水パン、１１  排水管、１２１  空気流路、１２２  空気流路、１３１  上方ファン、１３２  下方ファン、１４  タンク、１５  ヒータ、１６  ノズル、１７  蒸気洗浄機、１８  制御装置（室内制御装置）、２１  制御基板、２２  プロセッサ、２３  メモリ、２４  処理回路、１００  空気調和機、２００  室内機。
【要約】
空気調和機（１００）は、熱交換器（６）と、熱交換器（６）に対する上方に設けられた上方吹出口（３１）と、熱交換器（６）と上方吹出口（３１）間に設けられた上方ファン（１３１）と、熱交換器（６）用の蒸気洗浄機（１７）と、蒸気洗浄機（１７）による熱交換器（６）の洗浄中に、空気調和機（１００）の運転中における回転方向に対する逆方向に上方ファン（１３１）を回転させる制御装置（１８）と、を有する室内機（２００）を備える。【図１】
0006611990.tif 000002
【図２】
0006611990.tif 000003
【図３】
0006611990.tif 000004
【図４】
0006611990.tif 000005
【図５】
0006611990.tif 000006
【図６】
0006611990.tif 000007